(57)【要約】【課題】提供回数に偏りを出さずに周囲の環境条件に応じた情報をより適切に提供する情報提供装置を提供する。【解決手段】制御部２０６は、出力条件記憶部２０２に記憶されたコンテンツの環境に関する出力条件と環境情報取得部２０８で取得された環境に関する情報との合致度と、出力条件記憶部２０２に記憶されたコンテンツの出力総量に関する出力条件に対する出力履歴記憶部２０３に記憶された出力履歴の達成度とに基づいて、所定の出力期間における複数のコンテンツそれぞれの出力回数を設定し、設定された出力回数に基づいて、所定の出力期間、複数のコンテンツから出力するコンテンツを順次選択する。出力部２０５は、制御部２０６で選択されたコンテンツをコンテンツ記憶部２０１から読み出して出力する。【選択図】図２
2012128154.tif 000002
【特許請求の範囲】
【請求項１】
複数のコンテンツを記憶するコンテンツ記憶部と、
前記複数のコンテンツそれぞれに関連付けられた環境に関する出力条件と出力総量に関する出力条件とを記憶する出力条件記憶部と、
コンテンツの出力履歴を記憶する出力履歴記憶部と、
コンテンツを提供する場所の環境に関する情報を取得する環境情報取得部と、
前記出力条件記憶部に記憶された前記コンテンツの環境に関する出力条件と前記環境情報取得部で取得された環境に関する情報との合致度と、前記出力条件記憶部に記憶された前記コンテンツの出力総量に関する出力条件に対する前記出力履歴記憶部に記憶された出力履歴の達成度とに基づいて、所定の出力期間における前記複数のコンテンツそれぞれの出力回数を設定し、前記設定された出力回数に基づいて、前記所定の出力期間、前記複数のコンテンツから出力するコンテンツを順次選択する制御部と、
前記制御部で選択されたコンテンツを前記コンテンツ記憶部から読み出して出力する出力部と
を備えることを特徴とする情報提供装置。
【請求項２】
複数のコンテンツそれぞれに関連付けられた環境に関する出力条件と出力総量に関する出力条件とを記憶部から読み出す出力条件読み出しステップと、
コンテンツの出力履歴を記憶部から読み出す出力履歴読み出しステップと、
コンテンツを提供する場所の環境に関する情報を取得する環境情報取得ステップと、
前記出力条件読み出しステップで読み出された前記コンテンツの環境に関する出力条件と前記環境情報取得ステップで取得された環境に関する情報との合致度と、前記出力条件読み出しステップで読み出された前記コンテンツの出力総量に関する出力条件に対する、前記出力履歴読み出しステップで読み出された出力履歴の達成度とに基づいて、所定の出力期間における前記複数のコンテンツそれぞれの出力回数を設定する出力回数設定ステップと、
前記出力回数設定ステップで設定した出力回数に基づいて、前記所定の出力期間、前記複数のコンテンツから出力するコンテンツを順次選択する選択ステップと、
前記選択ステップで選択されたコンテンツを記憶部から読み出して出力する出力ステップと、
前記出力ステップで出力されたコンテンツの出力履歴を記憶する出力履歴記憶ステップと
を含むことを特徴とする情報提供方法。
【請求項３】
複数のコンテンツを記憶するコンテンツ記憶部と、
前記複数のコンテンツそれぞれに関連付けられた第１の環境に関する出力条件と、前記複数のコンテンツそれぞれに関連付けられた出力総量に関する出力条件と、第２の環境に関する出力条件と、前記複数のコンテンツの所定の出力割合とを記憶する出力条件記憶部と、
コンテンツの出力履歴を記憶する出力履歴記憶部と、
コンテンツを提供する場所の環境に関する情報を取得する環境情報取得部と、
前記出力条件記憶部に記憶された第２の環境に関する出力条件と前記環境情報取得部で取得された環境に関する情報との比較に基づいて比率を設定し、前記環境情報取得部で取得された環境に関する情報と前記出力条件記憶部に記憶されたコンテンツの第１の環境に関する出力条件との合致度と、前記出力条件記憶部に記憶されたコンテンツの出力総量に関する出力条件に対する前記出力履歴記憶部に記憶された出力履歴の達成度とに基づいて、所定の出力期間のうちの前記比率における、前記複数のコンテンツそれぞれの第１の出力回数を設定し、前記出力条件記憶部に記憶された所定の出力割合に基づいて、前記所定の出力期間のうちの前記比率以外における、前記複数のコンテンツそれぞれの第２の出力回数を設定し、前記第１の出力回数と前記第２の出力回数との加算結果に基づいて、前記所定の出力期間、前記複数のコンテンツから出力するコンテンツを順次選択する制御部と、
前記制御部で選択されたコンテンツを前記コンテンツ記憶部から読み出して出力する出力部と
を備えることを特徴とする情報提供装置。
【発明の詳細な説明】
【技術分野】
【０００１】
本発明は周囲の環境条件に応じた情報を提供する情報提供装置および情報提供方法に関する。
【背景技術】
【０００２】
駅や商店街などの街角や店舗のショーウィンドウなど不特定多数の行きかう場所に情報提供装置を設置して、広告コンテンツなどの映像や音声による情報を提供することが一般的に行われている。情報を提供する場所は、天気や気温、湿度などの周囲の環境条件が変化する屋外や公共の通路などにあることも多い。このような情報提供装置のひとつとして、周囲の環境条件に応じた広告を選択して提供することにより広告効果を高めることができる広告表示装置がある。
【０００３】
上記広告表示装置に用いられる技術として、周囲の環境条件に応じた特定の広告コンテンツばかりが表示され、提供回数に偏りが出るのを防ぐ技術が提案されている（例えば、特許文献１参照）。
【先行技術文献】
【特許文献】
【０００４】
【特許文献１】特開２００５―７８３７２号公報
【発明の概要】
【発明が解決しようとする課題】
【０００５】
特許文献１には、固定比率で配信を行う通常配信と、周囲の環境条件によって広告を選択して配信を行う条件配信とを組み合わせたコンテンツ配信装置において、再生回数をカウントし、規定数に満たないときは、通常配信時の配信比率を変更する技術が記載されている。
【０００６】
しかしながら特許文献１のコンテンツ配信装置は、提供回数には偏りが出ないものの、固定比率で配信を行う通常配信を備えているので、再生回数に偏りがない場合でもすべてのコンテンツが周囲の環境条件に応じた広告とはならない。
【０００７】
このように従来の情報提供装置では、提供回数に偏りを出さずに周囲の環境条件に応じた情報を適切に提供することができないという問題点があった。
【０００８】
本発明は上記問題点をかんがみてなされたものであり、その課題は、提供回数に偏りを出さずに周囲の環境条件に応じた情報をより適切に提供することにある。
【課題を解決するための手段】
【０００９】
上記の課題を解決するために、本発明は以下の装置、方法を提供するものである。
１）複数のコンテンツを記憶するコンテンツ記憶部（２０１）と、複数のコンテンツそれぞれに関連付けられた環境に関する出力条件と出力総量に関する出力条件とを記憶する出力条件記憶部（２０２）と、コンテンツの出力履歴を記憶する出力履歴記憶部（２０３）と、コンテンツを提供する場所の環境に関する情報を取得する環境情報取得部（２０８）と、出力条件記憶部（２０２）に記憶されたコンテンツの環境に関する出力条件と環境情報取得部（２０８）で取得された環境に関する情報との合致度と、出力条件記憶部（２０２）に記憶されたコンテンツの出力総量に関する出力条件に対する出力履歴記憶部（２０３）に記憶された出力履歴の達成度とに基づいて、所定の出力期間における複数のコンテンツそれぞれの出力回数を設定し、設定された出力回数に基づいて、所定の出力期間、複数のコンテンツから出力するコンテンツを順次選択する制御部（２０６）と、制御部（２０６）で選択されたコンテンツをコンテンツ記憶部（２０１）から読み出して出力する出力部（２０５）とを備えることを特徴とする情報提供装置。
２）複数のコンテンツそれぞれに関連付けられた環境に関する出力条件と出力総量に関する出力条件とを記憶部（２０２）から読み出す出力条件読み出しステップ（Ｓ４０１）と、コンテンツの出力履歴を記憶部（２０３）から読み出す出力履歴読み出しステップ（Ｓ４０２）と、コンテンツを提供する場所の環境に関する情報を取得する環境情報取得ステップ（Ｓ４０３）と、出力条件読み出しステップ（Ｓ４０１）で読み出されたコンテンツの環境に関する出力条件と環境情報取得ステップ（Ｓ４０３）で取得された環境に関する情報との合致度と、出力条件読み出しステップ（Ｓ４０１）で読み出されたコンテンツの出力総量に関する出力条件に対する、出力履歴読み出しステップ（Ｓ４０２）で読み出された出力履歴の達成度とに基づいて、所定の出力期間における複数のコンテンツそれぞれの出力回数を設定する出力回数設定ステップ（Ｓ４０５）と、出力回数設定ステップ（Ｓ４０５）で設定した出力回数に基づいて、所定の出力期間、複数のコンテンツから出力するコンテンツを順次選択する選択ステップ（Ｓ４０７）と、選択ステップ（Ｓ４０７）で選択されたコンテンツを記憶部（２０１）から読み出して出力する出力ステップ（Ｓ４０９）と、出力ステップ（Ｓ４０９）で出力されたコンテンツの出力履歴を記憶する出力履歴記憶ステップ（Ｓ４１０）とを含むことを特徴とする情報提供方法。
３）複数のコンテンツを記憶するコンテンツ記憶部（２０１）と、複数のコンテンツそれぞれに関連付けられた第１の環境に関する出力条件と、複数のコンテンツそれぞれに関連付けられた出力総量に関する出力条件と、第２の環境に関する出力条件と、複数のコンテンツの所定の出力割合とを記憶する出力条件記憶部（２０２）と、コンテンツの出力履歴を記憶する出力履歴記憶部（２０３）と、コンテンツを提供する場所の環境に関する情報を取得する環境情報取得部（２０８）と、出力条件記憶部（２０２）に記憶された第２の環境に関する出力条件と環境情報取得部（２１０）で取得された環境に関する情報との比較に基づいて比率を設定し、環境情報取得部（２０８）で取得された環境に関する情報と出力条件記憶部（２０２）に記憶されたコンテンツの第１の環境に関する出力条件との合致度と、出力条件記憶部（２０２）に記憶されたコンテンツの出力総量に関する出力条件に対する出力履歴記憶部（２０３）に記憶された出力履歴の達成度とに基づいて、所定の出力期間のうちの前記比率における、複数のコンテンツそれぞれの第１の出力回数を設定し、出力条件記憶部（２０２）に記憶された所定の出力割合に基づいて、所定の出力期間のうちの前記比率以外における、複数のコンテンツそれぞれの第２の出力回数を設定し、第１の出力回数と第２の出力回数との加算結果に基づいて、所定の出力期間、複数のコンテンツから出力するコンテンツを順次選択する制御部（２０６）と、制御部（２０６）で選択されたコンテンツをコンテンツ記憶部（２０１）から読み出して出力する出力部（２０５）とを備えることを特徴とする情報提供装置。
【発明の効果】
【００１０】
本発明の情報提供装置によれば、周囲の環境条件および出力履歴に応じて出力するコンテンツを選択するものとしたので、提供回数に偏りを出さずに周囲の環境条件に応じた情報をより適切に提供することができる。
【図面の簡単な説明】
【００１１】
【図１】本発明の情報提供装置の一実施形態を用いた情報表示システムを示すシステム構成図である。
【図２】本発明の情報提供装置の一実施形態を示すブロック構成図である。
【図３】本発明の情報提供装置の第１実施例における広告コンテンツとその出力条件の例を示す図である。
【図４】本発明の情報提供装置の第１実施例におけるフローチャートである。
【図５】本発明の情報提供装置の第１実施例における計算の手順を示すフローチャートである。
【図６】本発明の情報提供装置の第１実施例における計算結果の例である。
【図７】本発明の情報提供装置の第２実施例における広告コンテンツとその出力条件を示す図である。
【図８】本発明の情報提供装置の第２実施例におけるフローチャートである。
【発明を実施するための形態】
【００１２】
図１は本発明の情報提供装置の一実施形態を用いた情報表示システムを示すシステム構成図、図２は、本発明の情報提供装置の一実施形態を示すブロック構成図である。
【００１３】
図１において、情報提供装置１０は、インターネット２０と、液晶モニタ、プラズマディスプレイ、プロジェクタなどのモニタ３０と、スピーカ４０とに接続されている。モニタ３０とスピーカ４０は、駅や商店街などの街角や店舗のショーウィンドウなど不特定多数の行きかう場所に設置され、映像や音声による情報を提供する。
【００１４】
図２において、情報提供装置１０は、コンテンツ記憶部２０１、出力条件記憶部２０２、出力履歴記憶部２０３、デコード部２０４、出力部２０５、制御部２０６、通信部２０７、天候情報取得部２０８、計時部２０９、温度取得部２１０、温度センサ２１１、湿度取得部２１２、湿度センサ２１３を含んで構成される。
【００１５】
コンテンツ記憶部２０１には、映像および音声からなり、ＭＰＥＧ(Moving Picture Expert Group）−２などの規格で圧縮された広告コンテンツが複数記録されている。またそれぞれの広告コンテンツに対して広告コンテンツを表示する際の周囲の環境に関する出力条件と、広告コンテンツの所定の期間内の出力総量に関する出力条件とが設定されており、これらの出力条件は出力条件記憶部２０２に記憶されている。出力条件記憶部２０２には、環境に関する出力条件として広告コンテンツの出力に適した環境因子の条件が設定されており、出力総量に関する出力条件として各広告コンテンツの一月の所望の出力総量と一日の所望の出力総量とが設定されている。所望の出力総量は広告主の支払う費用や販売を促進したい意図などによって設定されるものとする。
【００１６】
また出力履歴記憶部２０３には、出力履歴として期間内に各広告コンテンツが出力された時間を広告コンテンツごとに集計した累積出力時間として、各広告コンテンツの当月の累積出力時間と当日の累積出力時間がそれぞれ記録されている。通信部２０７はインターネット２０に接続するネットワークインタフェースである。
【００１７】
情報提供装置１０の天候情報取得部２０８、温度取得部２１０、湿度取得部２１２は、環境に関する情報として天候、気温、湿度からなる周囲の環境条件を取得する。天候情報取得部２０８は、通信部２０７を通じてインターネット２０に接続し、例えば気象庁のサイトから現在の天候情報を取得する。なお天候情報についてはモニタ３０を設置する際に設置場所を出力履歴記憶部２０３などに記憶させておき、設置場所に応じた天候情報が取得できるようにするのが好ましい。
【００１８】
温度取得部２１０、湿度取得部２１２には、温度センサ２１１、湿度センサ２１３が接続されており、温度センサ２１１、湿度センサ２１３を外部に露出させ、周囲の気温、湿度を測定する。温度センサ２１１、湿度センサ２１３は情報提供装置１０本体の外部に露出させてもよいが、モニタ３０近傍の外部に露出させれば、モニタ画面を視聴する際の環境条件をより正確に測定でき、好適である。なお、空調のきいた快適な店舗の中に情報提供装置１０が設置されているが、店舗の外は暑い／寒いといったような状況では、外の気温に適した広告コンテンツを提供したほうが広告効果が高い場合がある。そのため温度取得部２１０、湿度取得部２１２も、天候情報取得部２０８と同様に通信部２０７を通じて気温や湿度のデータを取得するよう構成してもよい。
【００１９】
計時部２０９は現在の日付、時刻を計測する。計時部２０９は通信部２０７を通じてインターネット２０上のタイムサーバなどから時刻を取得するよう構成してもよい。
【００２０】
デコード部２０４は、制御部２０６の指示によりコンテンツ記憶部２０１から広告コンテンツを読み出して復号し、復号した広告コンテンツの映像や音声を出力部２０５から出力する。出力部２０５は、映像出力端子と音声出力端子とを備え、出力部２０５の映像出力端子にはモニタ３０が、出力部２０６の音声出力端子にはスピーカ４０が接続されており、出力された広告コンテンツの映像がモニタ３０に表示され、音声がスピーカ４０から出力される。
[第１実施例]
図１、図２に示す情報提供装置１０において、コンテンツの環境に関する出力条件と環境に関する情報との合致度と、コンテンツの出力総量に関する出力条件に対する出力履歴の達成度とに基づいて、コンテンツを選択して出力を行う例を、第１実施例として図３、図４および図５を用いて説明する。
【００２１】
図３はドラッグストアなどで使用する複数の広告コンテンツの種類と、それぞれの広告コンテンツを表示する際の出力条件の例を示す図である。以下、出力条件について説明する。出力条件１は、広告コンテンツの出力期間である。出力条件２と３は所定の集計期間における所望の出力総量で、出力の時間や回数である。本実施例では、出力条件２は一月の所望の出力時間であり、出力条件３は一日の所望の出力時間である。出力条件４は、広告コンテンツの出力に適した時間帯である。出力条件５、６、７は、広告コンテンツの出力に適した環境因子の条件である。本実施例では出力条件５の環境因子を天候、出力条件６の環境因子を気温、出力条件７の環境因子を湿度とする。
【００２２】
このような出力条件が設定された広告コンテンツを出力するときの流れを図４および図５のフローチャートで説明する。なお、図４、図５のフローチャートにおける動作の主体は、特に記載のない場合は制御部２０６である。制御部２０６は、出力条件記憶部２０２から図３に示した各広告コンテンツの出力条件を読み出し（ステップＳ４０１）、出力履歴記憶部２０３から出力履歴として各コンテンツの当月の累積出力時間と当日の累積出力時間とを読み出す（ステップＳ４０２）。次に天候情報取得部２０８、温度取得部２１０および湿度取得部２１２から、周囲の環境条件として、現在の天候、気温及び湿度の情報を取得する（ステップＳ４０３）。出力条件１〜７から広告コンテンツごとに集計ポイントＴを算出する（ステップＳ４０４）。
【００２３】
ステップＳ４０４の集計ポイントＴの算出の手順については図５のフローチャートで更に詳細に説明する。まず計時部２０９で取得した現在の日付と出力条件１の出力期間とを比較しポイントｔ１を決定する（ステップＳ４０４１）。現在の日付が出力条件１の範囲内ならｔ１＝１．５、それ以外ならｔ１＝０、出力条件１が設定されていない場合はｔ１＝１とする。
【００２４】
ポイントｔ２とｔ３は、所望の出力総量に対する出力履歴の達成度に応じたポイントである。
【００２５】
出力履歴記憶部２０３に記憶された当該広告コンテンツの当月の累積出力時間を出力条件２の一月の所望の出力時間と比較してポイントｔ２を決定する（ステップＳ４０４２）。当月の累積出力時間が出力条件２の２５％以下であればｔ２＝４、当月の累積出力時間が出力条件２の２５％より大きく５０％以下であればｔ２＝２、当月の累積出力時間が出力条件２の５０％より大きく７５％以下であればｔ２＝１．５、当月の累積出力時間が出力条件２の７５％より大きく出力条件２以下であればｔ２＝１、当月の累積出力時間が出力条件２を越えるときはｔ２＝０．５、出力条件２が設定されていない場合はｔ２＝１とする。
【００２６】
次に、出力履歴記憶部２０３に記憶された当該広告コンテンツの当日の累積出力時間を出力条件３の一日の所望の出力時間と比較し、ポイントｔ３を決定する（ステップＳ４０４３）。当日の累積出力時間が出力条件３の２５％以下であればｔ３＝４、当日の累積出力時間が出力条件３の２５％より大きく５０％以下であればｔ３＝２、当日の累積出力時間が出力条件３の５０％より大きく７５％以下であればｔ３＝１．５、当日の累積出力時間が出力条件３の７５％より大きく出力条件３以下であればｔ３＝１、当日の累積出力時間が出力条件３を越えるときはｔ３＝０．５、出力条件３が設定されていない場合はｔ３＝１とする。
【００２７】
次に、計時部２０９で取得した現在の時刻を出力条件４の時間帯と比較し、ポイントｔ４を決定する（ステップＳ４０４４）。現在の時刻が出力条件４の範囲内ならｔ４＝２、現在の時刻が出力条件４の範囲外だが差が１時間以内ならｔ４＝１、現在の時刻が出力条件４の範囲外で差が１時間より大きいときはｔ４＝０、出力条件４が設定されていない場合はｔ４＝１とする。
【００２８】
ポイントｔ５、ｔ６、ｔ７は、環境に関する出力条件と周囲の環境に関する情報との合致度に応じたポイントである。
【００２９】
天候情報取得部２０８で取得した現在の天候情報を出力条件５の天候の条件と比較し、ポイントｔ５を決定する（ステップＳ４０４５）。天候が晴れ、曇り、雨の３種類であると仮定して、現在の天候が出力条件５と同一ならｔ５＝２、現在の天候が晴れで出力条件５が曇りならｔ５＝１、現在の天候が曇りで出力条件５が晴れまたは雨ならｔ５＝１、現在の天候が雨で出力条件５が曇りならｔ５＝１、現在の天候が晴れで出力条件５が雨ならｔ５＝０．３、現在の天候が雨で出力条件５が晴れならｔ５＝０．３、出力条件５の設定がないときはｔ５＝１とする。
【００３０】
次に、温度取得部２１０で取得した現在の気温を出力条件６の温度の条件と比較し、ポイントｔ６を決定する（ステップＳ４０４６）。現在の気温が出力条件６の範囲内ならｔ６＝２、現在の気温が出力条件６の範囲外だが差が５℃以内ならｔ６＝１、現在の気温が出力条件６の範囲外で差が５℃より大きいときはｔ６＝０．３、出力条件６の設定がないときはｔ６＝１とする。
【００３１】
次に、湿度取得部２１２で取得した現在の湿度を出力条件７の湿度の条件と比較し、ポイントｔ７を決定する（ステップＳ４０４７）。現在の湿度が出力条件７の範囲内ならｔ７＝２、現在の湿度が出力条件７の範囲外だが１０％以内ならｔ７＝１、現在の湿度が出力条件７の範囲外で差が１０％より大きいときはｔ７＝０．３、出力条件７の設定がないときはｔ７＝１とする。
【００３２】
以上のようにしてｔ１からｔ７のポイントを決定したら、以下の式で集計ポイントＴを算出する（ステップＳ４０４８）。
Ｔ＝ｔ１×ｔ２×ｔ３×ｔ４×ｔ５×ｔ６×ｔ７
このようにして図４のフローチャートのステップＳ４０４ですべての広告コンテンツの集計ポイントＴを算出する。
【００３３】
図４のフローチャートに戻る。
【００３４】
集計ポイントＴを算出したら、集計ポイントＴに応じてすべての広告コンテンツの出力回数を設定する（ステップＳ４０５）。広告を提供する１サイクルの時間をＳ（秒）、各広告コンテンツの時間をΔＳ（秒）とすると、１サイクルでＳ／ΔＳ回の広告コンテンツを出力できるので、Ｔの値に応じてＳ／ΔＳ回の出力回数を各広告コンテンツに配分し、出力回数を設定する。
【００３５】
更に、設定した出力回数に従って広告コンテンツをランダムに並べた出力シーケンスを作成する（ステップＳ４０６）。
【００３６】
出力シーケンスを作成したら、制御部２０６は作成した出力シーケンスに従い、読み出す広告コンテンツを順次指定する（ステップＳ４０７）。デコード部２０４は、制御部２０６に指定された広告コンテンツをコンテンツ記憶部２０１から読み出して復号し（ステップＳ４０８）、出力部２０５から出力する（ステップＳ４０９）。これにより、広告コンテンツの映像が順次モニタ３０に表示され、音声がスピーカ４０から出力される。
【００３７】
広告コンテンツを出力すると、出力履歴記憶部２０３に記憶された当該広告コンテンツの当月の累積出力時間、当日の累積出力時間に出力時間を加算する（ステップＳ４１０）。１サイクルの出力が終わったら出力を終了し(ステップＳ４１１)、再びステップＳ４０１に戻り、処理を繰り返す。
【００３８】
なお当月の累積出力時間、当日の累積出力時間は、計時部２０９で取得した日時で一月が終了したり一日が終了したことを検出するとリセットするが、別途ログとして保存しておけば広告主に対して実際に広告を出力した証拠として提出することも可能である。
【００３９】
いまの日付が１２／１９、時刻が１３：３０、天候が晴れ、気温が８．５℃、湿度が３５％であるとしたときに、図３に例示した広告コンテンツを図５のフローチャートに従って計算した例を図６に示す。各広告コンテンツの当月の累積出力時間、当日の累積出力時間も図６に記載している。説明すると、花粉症薬は、出力条件１の出力期間が２／１〜３／３１で期間外なのでｔ１＝０、当月の累積出力時間が０時間で出力条件２が２０時間なので０％でｔ２＝４、当日の累積出力時間が０分で出力条件３は指定なしなのでｔ３＝１、出力条件４の時間帯は８：００〜１７：００で現在は１３：３０なので範囲内でｔ４＝２、出力条件５の天候の条件は晴れで現在は晴れなのでｔ５＝２、出力条件６の気温の条件は２２℃以上で現在は８．５℃で差が５℃以上なのでｔ６＝０．３、出力条件７の湿度の条件は４０％未満で現在は３５％で範囲内なのでｔ７＝２となる。したがって
Ｔ＝０×４×１×２×２×０．３×２＝０
となり、花粉症薬の集計ポイントＴはＴ＝０である。
【００４０】
同様にして風邪薬はＴ＝１２、栄養ドリンクはＴ＝０、育毛剤はＴ＝２、胃腸薬はＴ＝２．２５、日焼け止めはＴ＝０、水虫薬はＴ＝０、ダイエットサプリはＴ＝１、湿布薬はＴ＝１、使い捨てカイロはＴ＝３、防虫剤はＴ＝０、歯磨きはＴ＝１．５、洗剤（特売）はＴ＝６となる。
【００４１】
ここから花粉症薬の出力の割合は０％、風邪薬の出力の割合は
１２／（０＋１２＋０＋２＋２．２５＋０＋０＋１＋１＋３＋０＋１．５＋６）＝１２／２８．７５＝４１．７％
となる。同様にして栄養剤は０％、育毛剤は７．０％、胃腸薬は７．８％、日焼け止めは０％、水虫薬は０％、ダイエットサプリは３．５％、湿布薬は３．５％、使い捨てカイロは１０．４％、防虫剤は０％、歯磨きは５．２％、洗剤（特売）は２０．９％となる。
【００４２】
各広告コンテンツが１５秒の長さで、出力シーケンスを１時間とすると、１回の出力シーケンスで広告コンテンツの全出力回数は２４０回となる。従って各広告コンテンツの出力回数は、全出力回数２４０回を上記の出力の割合で按分して算出する。その結果、風邪薬の出力回数は１００回、育毛剤は１７回、胃腸薬は１９回、ダイエットサプリと湿布薬はそれぞれ８回、使い捨てカイロは２５回、歯磨きは１３回、洗剤（特売）は５０回、それ以外は０回となる。これらの出力回数を２４０回の出力シーケンス内にランダムに割り付け、それにしたがって順次各広告コンテンツの出力を行い、モニタ３０に表示させる。
【００４３】
各広告コンテンツの出力回数をみてみると、花粉症薬、日焼け止め、水虫薬は期間外なので出力しない。風邪薬は時間帯の一致のほか、温度、湿度の環境条件が一致するためかなり多い回数となっている。栄養ドリンクは夜に出力する設定で現在は昼間なので出力しない。育毛剤は今日の累積出力時間が不足しているので出力回数が増えている。胃腸薬、歯磨きは今月の累積出力時間が少ないので出力回数がやや多い。ダイエットサプリ、湿布薬は期間、時間帯や環境条件についての設定がなく普通の出力回数である。使い捨てカイロは気温の条件が一致するので出力回数が多い。防虫剤は衣替えのシーズンのみが設定されており現在は期間外なので出力しない。洗剤（特売）は当月および当日の累積出力時間が不足しているので、多い出力回数となっている。
【００４４】
第１実施例の情報提供装置は、各広告コンテンツの累積出力時間が設定された出力総量に比べ不足していなければ、環境条件に合致するコンテンツの出力回数が多くなる。更に広告コンテンツの累積出力時間が設定された出力総量に比べ不足している場合は、環境条件に合致する広告コンテンツの出力回数が多くなるだけでなく、出力時間が不足している広告コンテンツの出力回数も多くなる。従って、周囲の環境条件に適した広告コンテンツが多く出力されるとともに、出力時間が不足している広告コンテンツもその後の出力シーケンスで多く出力され、結果として出力時間の不足分が挽回され、出力回数の偏りが解消されることとなる。
【００４５】
すなわち、第１実施例の情報提供装置は、出力回数に偏りがない場合は周囲の環境条件に応じた情報（広告コンテンツ）を適切に提供し、出力回数に偏りが生じてきた場合は出力回数が不足している情報（広告コンテンツ）も多く提供するので、出力回数に偏りを出さずに周囲の環境条件に応じた情報を適切に提供することができる。
【００４６】
このように、第１実施例の情報提供装置は、周囲の環境条件に適した広告コンテンツを多く出力するだけでなく、希望する出力総量が満たされるよう広告コンテンツを出力する。したがって、広告を依頼する広告主は、環境条件に応じた広告で高い広告効果を期待できるだけでなく、希望した出力総量による広告効果を期待することができる。さらに情報提供装置を提供する事業者は、広告主との契約に出力総量をうたうことで適正な広告収入を得ることも可能である。
【００４７】
なお出力総量として、各広告コンテンツの時間が同一の場合は出力回数と出力時間のどちらで管理しても同義であるが、各広告コンテンツの時間が異なる場合は出力時間で割り振りを行った後、広告コンテンツの時間に応じて出力回数を演算し出力シーケンスに割付を行うことが望ましい。
【００４８】
また、環境因子として周囲の混雑度を用い、その検出素子として人感センサを設けることも好適である。人感センサをモニタ３０近傍の外部に露出する位置に設ければ、モニタ３０の周囲に人がいることを検出することができる。従って、例えば人が多いときは時間の短い広告コンテンツや商品名をアピールする広告コンテンツを出力し、それほど人が多くないときは時間の長い広告コンテンツや商品の内容をじっくり説明する広告コンテンツを出力するよう出力条件を設定する。このように設定すると、混雑しているときは立ち止まらなくても広告機能を果たせ、それほど混雑していないときはじっくりと広告を眺めてもらい内容の理解を深めてもらうといった使い分けをすることもできる。
【００４９】
更に人感センサの検出結果の変化を演算した値を用いることも好適である。人感センサの変化を演算すれば単にモニタ３０の周囲に人がいるということだけでなく周囲の人の動きも検出できる。従って、例えば人の動きの大きいときは時間の短い広告コンテンツや商品名をアピールする広告コンテンツを出力し、人の動きが少ないときは時間の長い広告コンテンツや商品の内容をじっくり説明する広告コンテンツを出力するよう出力条件を設定する。このように設定すると、混雑度をより正確に把握することができ、広告の効果も更に向上する。
[第２実施例]
図１、図２に示す情報提供装置１０において、各広告コンテンツを固定比率で再生を行う固定出力と、第１実施例と同様に周囲の環境に適した広告コンテンツを選択して出力を行う条件出力とを組み合わせ、更に固定出力と条件出力との比率を環境条件によって変更して出力する例を、第２実施例として図７および図８を用いて説明する。なお、図８のフローチャートにおける動作の主体は、特に記載のない場合は制御部２０６である。
【００５０】
図７はレストランなどで使用する広告コンテンツとその出力条件の例である。第２実施例での出力条件は、図７に示すように、第１実施例と同様の出力条件１〜７に加え、出力条件８と出力条件９が設けられている。
【００５１】
出力条件８は、固定出力における各広告コンテンツの出力割合である。固定出力の出力割合は、あらかじめ広告主の支払う費用や販売を促進したい意図などによって按分されており、第２実施例では図７のように設定されている。出力条件９は、周囲の環境条件によって条件出力と固定出力との比率を変えるための条件である。この出力条件９は広告コンテンツごとの設定ではなく、広告コンテンツ全体としてひとつの設定である。本実施例では気温が２０℃〜３２℃のときは条件出力の比率が５０％で残りの５０％が固定出力、それ以外のときは条件出力の比率が７０％で残りの３０％が固定出力と設定されている。
【００５２】
第２実施例のフローチャートを図８に示す。なお、図８のフローチャートにおける動作の主体は、特に記載のない場合は制御部２０６である。制御部２０６は第１実施例と同様、まず出力条件記憶部２０２から図７に示す各広告コンテンツの出力条件を読み出し（ステップＳ８０１）、出力履歴記憶部２０３から各コンテンツの当月の累積出力時間と当日の累積出力時間とを読み出す（ステップＳ８０２）。
【００５３】
次に、天候情報取得部２０８、温度取得部２１０および湿度取得部２１２から現在の天候、気温及び湿度の情報を取得する（ステップＳ８０３）。そして第２実施例では、温度取得部２１０で取得した気温と出力条件９とを比較し、条件出力の比率を決定する（ステップＳ８０４）。
【００５４】
条件出力の比率を決定したら、その後は第１実施例のステップＳ４０４１からステップＳ４０４８と同様にして条件出力部分の各広告コンテンツの集計ポイントＴを算出し（ステップＳ８０５）、条件出力の１サイクルあたりの各広告コンテンツの出力回数を設定する（ステップＳ８０６）。ただし広告を提供する１サイクルの時間をＳ（秒）、各広告コンテンツの時間をΔＳ（秒）、条件出力の比率をＪとしたとき、第２実施例の条件出力の１サイクルあたりの総出力回数はＪ×Ｓ／ΔＳ回である。
【００５５】
条件出力の出力回数を設定したら、次に固定出力の出力回数を計算して加算する(ステップＳ８０７)。固定出力の１サイクルあたりの総出力回数は（１−Ｊ）×Ｓ／ΔＳ回である。出力条件８に各広告コンテンツの出力割合が設定されているので、固定出力の総出力回数に各広告コンテンツの出力割合を掛けて各広告コンテンツの固定出力の出力回数を算出し、ステップＳ８０６で求めた条件出力の出力回数に加算する。
【００５６】
このようにして各広告コンテンツの出力回数を算出したら、算出した出力回数に従って広告コンテンツをランダムに並べた出力シーケンスを作成する（ステップＳ８０８）。
【００５７】
出力シーケンスを作成したら、制御部２０６は作成した出力シーケンスに従い、読み出す広告コンテンツを順次指定する（ステップＳ８０９）。デコード部２０４は、制御部２０６に指定された広告コンテンツをコンテンツ記憶部２０１から読み出して復号し（ステップＳ８１０）、出力部２０５から出力する（ステップＳ８１１）。これにより、広告コンテンツの映像が順次モニタ３０に表示され、音声がスピーカ４０から出力される。
【００５８】
広告コンテンツを出力すると、出力履歴記憶部２０３に記憶された当該広告コンテンツの当月の累積出力時間、当日の累積出力時間に出力時間を加算する（ステップＳ８１２）。１サイクルの出力が終わったら出力を終了し(ステップＳ８１３)、再びステップＳ８０１に戻り、処理を繰り返す。
【００５９】
このようにして条件出力と固定出力とを組み合わせるとともにその比率を環境条件によって変化させる。これにより、周囲の環境条件の日常的な小さな変化、例えばちょっと暑い、ちょっと寒い程度のときには固定出力と条件出力を併用して環境に適した広告の出力と販売促進を意図した広告の出力を両立させ、かなり暑い、かなり寒いなど嗜好を大きく左右するような環境条件の大きな変化のときには、固定出力の比率を減らすことで環境条件に適した広告をより積極的に多用することが可能となる。
【００６０】
すなわち、第２実施例の情報提供装置は、周囲の環境条件が大きく変化した場合は固定出力の比率を減らし、周囲の環境条件に応じた情報をより適切に提供するので、提供回数に偏りを出さずに周囲の環境条件に応じた情報をより適切に提供することができる。
【００６１】
なお通信部２０７は、インターネット２０に接続するネットワークインタフェースに限らず、例えば地上デジタル放送を受信してデータを取得するチューナーであってもよい。その場合は、天候情報取得部２０８は地上デジタル放送のデータ放送などを通じて天候情報を取得する。
【００６２】
またコンテンツ記憶部２０１、出力条件記憶部２０２、出力履歴記憶部２０３は、それぞれを個別の内蔵メモリなどの記憶装置として構成してもよいし、ひとつの記憶装置として構成してもよい。また内蔵メモリに限らず、着脱可能な外部メモリを用いてもよい。特にコンテンツ記憶部２０１と出力条件記憶部２０２をひとつの外部メモリとして構成すれば、出力条件とともに広告コンテンツを同時に入れ替えることができ、広告コンテンツの入れ替えが容易となる。
【符号の説明】
【００６３】
２０１  コンテンツ記憶部
２０２  出力条件記憶部
２０３  出力履歴記憶部
２０４  デコード部
２０５  出力部
２０６  制御部
２０７  通信部
２０８  天候情報取得部
２０９  計時部
２１０  温度取得部
２１１  温度センサ
２１２  湿度取得部
２１３  湿度センサ
【図１】
2012128154.tif 000003
【図２】
2012128154.tif 000004
【図３】
2012128154.tif 000005
【図４】
2012128154.tif 000006
【図５】
2012128154.tif 000007
【図６】
2012128154.tif 000008
【図７】
2012128154.tif 000009
【図８】
2012128154.tif 000010